(57)【要約】      （修正有）【課題】ユーザの所在地と一致するムーンフェイズを表示するユニバーサルムーンフェイズ表示装置を提供する。【解決手段】時計用のユニバーサルムーンフェイズ表示装置１０は、日付を計算または受信するための第１の手段１と、位置情報信号を受信するための第２の手段２と、ムーンフェイズの日付と関連性を持って、太陰暦４を計算または受信するための第３の手段３とを備える。位置計算手段５は、その日のムーンフェイズを第１の表示部材６の第１の角度位置に変換するように構成される。第１の表示部材６はユニバーサルムーンフェイズ表示装置１０に含まれ、通常の月の表示を備える。さらに本装置１０が所在する北半球または南半球を決定するように構成され、ユニバーサルムーンフェイズ表示装置１０に含まれる第１の駆動手段７の回転方向を制御し、第１の表示部材６を、北半球および南半球では反対方向に駆動するように構成される。【選択図】図２
2018155747.tif 000002
【特許請求の範囲】
【請求項１】
時計（１０００）用のユニバーサルムーンフェイズ表示装置（１０）であって、現在の日付を計算または受信するための第１の手段（１）と、場所の半球を示す位置情報信号を受信するための第２の手段（２）とを備え、前記装置（１０）は、前記現在の日付に応じて、太陰暦（４）を計算するため、または受信するための第３の手段（３）を備え、前記第３の手段（３）は少なくとも前記現在の日付と前記ムーンフェイズとの関連性を備え、当日のムーンフェイズを、前記装置（１０）に含まれる第１の表示部材（６）の第１の角度位置値（αＬ）に変換するように構成される位置計算手段（５）を備え、少なくとも前記通常の月（１１）の１つの表示を備えるユニバーサルムーンフェイズ表示装置（１０）であって、
前記位置計算手段（５）はさらに、前記装置（１０）が位置する北半球または南半球を決定し、前記装置（１０）に含まれる第１の駆動手段（７）の回転方向を制御するように構成され、北半球では前記第１の表示部材（６）を第１の方向に駆動し、南半球では、反対方向の第２の方向に駆動することを特徴とする、ユニバーサルムーンフェイズ表示装置（１０）。
【請求項２】
請求項１に記載の装置（１０）であって、前記装置（１０）は第２の表示部材（８）を備え、前記第２の表示部材（８）は水平線の少なくとも１つの表示を備え、前記第１の表示部材（６）は前記水平線に対して移動可能であることを特徴とする、装置（１０）。
【請求項３】
請求項２に記載の装置（１０）であって、前記第２の表示部材（８）は、少なくとも前記第１の表示部材（６）と同心回転方向に移動可能であることを特徴とする、装置（１０）。
【請求項４】
請求項２に記載の装置（１０）であって、前記第２の表示部材（８）は、少なくとも前記第１の表示部材（６）と径方向移動方向に移動可能であることを特徴とする、装置（１０）。
【請求項５】
請求項３に記載の装置（１０）であって、前記位置計算手段（５）は、前記装置（１０）が位置する前記場所の前記緯度を計算するように構成され、前記第２の表示部材（８）を前記第１の表示部材（６）に関して駆動し、前記装置（１０）に含まれる第２の駆動手段（９）を制御するように構成されることを特徴とする、装置（１０）。
【請求項６】
請求項４に記載の装置（１０）であって、前記位置計算手段（５）は、前記装置（１０）が所在する前記場所の緯度を計算をし、前記装置（１０）に含まれる第２の駆動手段（９）を制御して、前記第１の表示部材（６）に関して前記第２の表示部材（８）を駆動するように構成されることを特徴とする、装置（１０）。
【請求項７】
請求項２に記載の装置（１０）であって、前記第１の駆動手段（７）は、回転の一方向のみに回転するように構成される少なくとも第１の電気モータを備えることを特徴とし、前記位置計算手段（５）は、前記第１の駆動手段（７）の前記速度を制御するように構成され、それによって前記第１の表示部材（６）を第１の速度で、第１の移動で駆動し、前記少なくとも１つの通常の月表示（１１）は月期の開始位置と月期の終了位置との間で可視であり、それによって厳密に３６０°未満の限定角度移動において、１つの太陰月で１つの完全な移動を行うことができ、およびそれによって前記第１の表示部材（６）を駆動し、前記月期の終了位置では、少なくとも前記第１の速度より３０倍速い第２の速度で、前記少なくとも１つの通常の月表示（１１）は不可視であり、前記月期の終了位置と前記月期の開始位置との間の第２の移動で、１日以下の持続運動を行う、装置（１０）。
【請求項８】
請求項１に記載の装置（１０）であって、前記第１の駆動手段（７）は、少なくとも第１の電気モータを備え、前記第１の電気モータは回転の両方向に回転して、前記第１の表示部材（６）を月期の開始位置と月期の終了位置との間の第１の方向に駆動するように構成され、それによって１つの太陰月で１つの完全な移動を行い、厳密に３６０°未満の限定角度移動を行い、および前記第１の表示部材（６）を、月期の終了位置で、前記月期の終了位置と前記月期の開始位置との間の前記第１の方向と反対の第２の方向に、迅速に、実質的に瞬時の逆方向移動によって駆動することを特徴とする、装置（１０）。
【請求項９】
請求項１に記載の装置（１０）であって、前記第１の表示部材（６）は、前記通常の月表示（１１）である前記月の単一の表示を備えることを特徴とする、装置（１０）。
【請求項１０】
請求項１に記載の装置（１０）であって、前記太陰暦（４）は皆既月食および赤い月の日の日付を含み、前記第１の表示部材（６）は明確な角度位置で、初期設定で表示される少なくとも１つの前記通常の月表示（１１）と、少なくとも１つの赤い月表示（１２）とを含み、前記位置計算手段（５）は、前記現在の日付が赤い月の日付に該当するとき、前記第１の駆動手段（７）を適切に回転させ、赤い月表示（１２）を通常の月表示（１１）と交換するように構成されることを特徴とする、装置（１０）。
【請求項１１】
請求項１に記載の装置（１０）であって、前記現在の日付を計算または受信するための前記第１の手段（２）は、衛星または前記時計（１０００）の前記ユーザが保持する携帯テレフォニ装置（１００）から送信される信号を受信するための手段であることを特徴とする、装置（１０）。
【請求項１２】
請求項１に記載の装置（１０）であって、位置情報信号および／または場所の地球の半球を示す信号を受信するための前記第２の手段（２）は、衛星または前記時計（１０００）の前記ユーザが保持する携帯テレフォニ装置（１００）から送信される信号を受信するための手段であることを特徴とする、装置（１０）。
【請求項１３】
少なくとも１つの請求項１に記載の装置（１０）を含む時計（１０００）。
【請求項１４】
請求項１３に記載の時計（１０００）と、携帯テレフォニ装置（１００）とを備える携帯型アセンブリ（２０００）であって、前記携帯テレフォニ装置（１００）は、位置情報信号またはデータおよび／または場所の地球の半球を示す信号またはデータ、および／または日付信号またはデータを前記時計（１０００）に含まれる前記装置（１０）に提供するように構成されることを特徴とする、携帯型アセンブリ（２０００）。
【発明の詳細な説明】
【技術分野】
【０００１】
本発明は、時計用のユニバーサルムーンフェイズ表示装置に関し、該ユニバーサルムーンフェイズ表示装置は、現在の日付を計算する、または受信するための第１の手段と、位置情報信号および／または場所の地球の半球を示す信号を受信するための第２の手段とを備える。該装置は、太陰暦を現在の日付に応じて計算するため、または太陰暦を受信するための第３の手段を備える。第３の手段は、少なくとも現在の日付とムーンフェイズとの相関関係と、その日のムーンフェイズを第１の表示部材の第１の角度位置値に変換するように構成される位置計算手段とを備える。第１の表示部材は本装置に含まれ、少なくとも１つの通常の月の表示を備える。
【０００２】
本発明は、少なくとも１つのユニバーサルムーンフェイズ表示装置を含む時計に関する。
【０００３】
本発明は、このような時計および携帯テレフォニ装置を備える携帯型アセンブリに関する。携帯テレフォニ装置は、位置情報信号またはデータおよび／または場所の地球の半球を示す信号またはデータ、および／または日付信号またはデータを時計に含まれる装置に提供するように構成される。
【０００４】
本発明は時計用のムーンフェイズ表示装置の分野に関連する
【背景技術】
【０００５】
時計のムーンフェイズ表示は複雑なものであり、古くから用いられ非常に人気があるものの、非常に大まかな表示を提示することも多い。一般に、欧州のユーザまたは北緯４５度線に近い領域のユーザ向けに設計される。月の見かけが逆になる南半球のユーザ向けのムーンフェイズ表示装置は特別であり、したがって費用がかかるため、両半球用のユニバーサル表示装置は極めて高価である。
【０００６】
月相は北半球と南半球または赤道付近では見え方が異なる。
【０００７】
月を表示する多くの時計では、温帯に適した表示を提供するが、この表示では熱帯または赤道地域で見られる月の見え方とは適合しない。
【０００８】
Ｓｅｍｂｒｉｔｚｋｉによる特許文献１では、月相を表示するための表示装置を備える着用可能な装置を開示している。１または複数の月の画像がダイヤルに提示され、回転要素がダイヤル上に設けられ、満月、三日月、新月および二十六夜の月の画像を提供する。同装置は、回転要素の片方または両方向への回転を提供する。同装置は、同時に、または選択的に、北半球および／または南半球からの見かけと一致するムーンフェイズを表示することができる。
【０００９】
Ｋｉｔａによる特許文献２は、信号受信機能を有する電子時計を開示する。ユーザが所在する場所の現在の時刻が地域名を特定せずに表示され得る。衛星と信号受信点との間の準距離データは、衛星から送信された信号の遅延時間に基づいて計算される。信号受信点に関する位置データは４つの準距離データから得られる。次に、この位置データはＲＯＭに事前に保存されている経度／緯度データと比較され、この信号受信点に最も近い都市を検索する。さらに、現在の受信点が以前の受信点に最も近い都市と一致するかを判断する。これらの都市が互いに一致すると、計時レジスタに保存されている都市の現在の時刻が直接表示される。一致が成立しない場合は、計時ユニットによる計時は現在の信号受信点に最も近い都市に関する時間差データに基づいて修正され、修正された時間はこの都市名に関連付けられる。
【００１０】
Ｄｒｕｇｇｅによる特許文献３は、時計または腕時計を開示する。同時計または腕時計は、時計の地理的位置に関連する計算および条件に基づいた天体の「複雑さ」および気象事象を表示する。メモリ記憶装置、マイクロプロセッサ、機械およびソフトウェアが制御する図表表示システムおよびネットワーク接続性によって、ユーザが選択する複雑さの入力、表示オプション、地理的議論およびその他の変形が容易になる。時計は事前にプログラムされた地域または事前に定義された複雑さに限定されない。
【先行技術文献】
【特許文献】
【００１１】
【特許文献１】米国特許出願第２０１４／０２４７６９９号Ａ１
【特許文献２】米国特許番号第５４０８４４４号
【特許文献３】米国特許出願第２０１０／０２２６２１３号Ａ１
【発明の概要】
【００１２】
本発明は、ユーザの所在地と一致するムーンフェイズ表示をユーザに提供することを提案する。
【００１３】
そのため、本発明は、請求項１に記載の時計用のユニバーサルムーンフェイズ表示装置に関する。
【００１４】
本発明は少なくとも１つの前述の装置を含む時計に関する。
【００１５】
本発明はこのような時計および携帯テレフォニ装置などを備えるように構成される携帯型アセンブリに関する。携帯型アセンブリは、位置情報信号またはデータおよび／または場所の地球の半球を示す信号またはデータ、および／または日付信号またはデータを前述の装置に提供する。
【図面の簡単な説明】
【００１６】
本発明のその他の特徴および有利点は、添付図を参照して以下の詳細な説明を読むことによって明らかになるであろう。
【００１７】
【図１】ブロック図で携帯型アセンブリを表す。携帯型アセンブリは、時計および携帯テレフォニ装置を備える。携帯テレフォニ装置は、位置情報信号および／または場所の地球の半球を示す信号またはデータ、および／または日付信号またはデータを本発明による装置に提供するように構成され、時計に含まれる。
【図２】図１と類似する方法で、本装置およびその主要構成要素を図示する。
【図３】図３Ｎは、北半球の月の移動の方向を例示し、図３Ｓは、南半球の月の移動の方向を例示する。月の表示は、本明細書ではディスクである第１の表示部材に張り付けられ、本明細書では固定カバーである第２の表示部材に関して移動可能である。
【図４】図４Ｎは、同一の方法で、北半球における月の様々な表示を同時に例示する。図４Ｓは、同一の方法で、南半球における月の様々な表示を同時に例示する。
【図５】月の単一の表示を有する第１の表示部材の正面概略図を示す。
【図６】第２の表示部材の後方にある、同一の第１の表示部材を表す。第２の表示部材は、図示するように中心を外れた水平線を一定の緯度で有する。
【図７】類似する方法で、通常の月および赤い月という、月の２つの表示を有する第１の表示部材を表す。
【図８】モータによって同一方向であるが、可変速度で移動される、図５の第１の表示部材を表す。第１の表示部材は、北半球および南半球の両方で用いることができる第２の表示部材の背後にある。
【図９】同時に、様々な緯度における同一のムーンフェイズの様々な見かけを例示する。
【図１０】北半球および南半球両方における月相の連続、およびその方向を例示する。
【図１１】ムーンフェイズ表示制御アルゴリズムである。
【図１２】制御アルゴリズムの別の例である。
【図１３】赤い月を管理するためのアルゴリズムである。
【図１４】第１の表示部材に関して第２の表示部材を移動するためのアルゴリズムである。
【図１５】加速動作を有する表示用の速度制御アルゴリズムである
【図１６Ａ−１６Ｂ】熱帯での表示に適した特定の第２の表示部材を備え、月相の連続を例示する。
【図１７Ａ−１７Ｂ】熱帯での表示に適した特定の第２の表示部材を備え、月相の連続を例示する。
【図１８】所定の緯度範囲によりよく適応するように、横方向に移動するように考案される第２の表示部材上に組み合わせたマスク部材の例を例示する。
【図１９】組み合わせたマスク部材の別の例を例示する。
【発明を実施するための形態】
【００１８】
したがって、本発明は、時計１０００用のユニバーサルムーンフェイズ表示装置１０に関する。
【００１９】
本装置１０は、現在の日付を計算または受信するための第１の手段１と、位置情報信号を受信するための第２の手段２とを備える。
【００２０】
装置１０は、従来から、通常の月１１の少なくとも１つの表示を備える少なくとも第１の表示部材６を含む。装置１０は、第１の表示部材６を駆動するための第１の駆動手段７を備える。
【００２１】
本装置１０は、太陰暦４を計算または受信するための第３の手段３０を備える。第３の手段３０は、少なくとも日付とムーンフェイズとの間の関連性を備える。
【００２２】
本装置１０は、位置計算手段５をさらに備える。位置計算手段５は、具体的には、その日のムーンフェイズを第１の表示部材６の第１の角度位置値αＬに変換するように構成されるが、月のディスクには限定されない。
【００２３】
本発明によれば、これらの位置計算手段５はさらに、装置１０が所在するのが北半球または南半球かを決定するため、第１の駆動手段７の回転方向を制御するように構成され、それによって、第１の表示部材６を北半球では第１の方向に回転させ、または南半球では第２の反対方向に回転させる。
【００２４】
図３Ｎおよび３Ｓはそれぞれ、北半球および南半球における月の移動方向を例示する。
【００２５】
図４Ｎおよび４Ｓは同様に、２つの半球における、同じ瞬間の、月の異なる描写を例示する。
【００２６】
より具体的には、第１の駆動手段７は、少なくとも第１の電気モータを備える。第１の電気モータは、回転の両方向に回転するように構成され、それによって第１の表示部材６を月期の開始位置と月期の終了位置との間の第１の方向に駆動して、厳密に３６０°未満の限定角度移動により、太陰月で１周期を完了する。また、第１の表示部材６を月期終了時に、迅速に、実質的に瞬時の逆方向移動によって、月期の終了位置と月期の開始位置との間の第１の方向とは反対の第２の方向に駆動する。
【００２７】
図５は、第１の表示部材６を例示する。第１の表示部材６は、通常の月表示１１である単一の月表示を備える。
【００２８】
この具体的な構成により、第１の電気モータは回転の両方向に回転するように構成されるため、複数の月の表示を備える同一の表示部材６を用いることも可能となる。たとえば、図７のように、通常の月表示１１と、赤い月の表示１２とを備えることが可能となり、図７の具体的な例では径方向に正反対となる。適切な月表示とは反対の要素を表示しないように、第１の表示部材６は、復帰運動を行うが、これは第１の電気モータの両方向への回転によって可能となる。
【００２９】
特定の変形では、太陰暦４は、皆既月食および赤い月の日の日付を含む。第１の表示部材６は次に、明確な角度位置において、初期設定として表示される少なくとも１つの通常の月表示１１と、少なくとも１つの赤い月表示１２とを備える。位置計算手段５は、現在の日付が赤い月の日付に該当する場合、通常の月表示１１の代わりに赤い月表示１２となるように第１の駆動手段７を適切に回転するように構成される。たとえば、通常の月表示１１は同一の月のディスク上に、赤い月表示１２の直径方向反対側にある。位置計算手段５は、赤い月の場合、通常の月に対して行う計算に関して１８０°相殺するように回転を行う。赤い月は、皆既月食後かつ、４月の満月後に予測可能であり、太陰暦４は容易に日付を管理することができる。月食および赤い月は長期に予測可能な事象であるため、前もって最終的に計算されている場合は、太陰月において日付の位置を計算することは必須ではない。日付は外部資源または、内部メモリから決定することができる。
【００３０】
特定の変形では、装置１０は、第２の表示部材８を備える。第２の表示部材８は、少なくとも１つの水平線表示を含み、第１の表示部材６は水平線に対して移動可能である。より具体的には、第２の表示部材８は、第１の表示部材６の一部分と重なって、カバーを形成する。第２の表示部材８は、従来の静的マスク部材を形成することができる。より具体的には、第２の表示部材８は少なくとも第１の表示部材６と同心回転で移動可能であり、ムーンフェイズの現実的なレンダリングを提供する。より具体的には、さらに、第２の表示部材８は、第１の表示部材６に関して少なくとも横方向に移動可能であって、具体的には非限定的に径方向に移動可能である。
【００３１】
図３および図４は、温帯の通常のムーンフェイズ表示装置で用いられる第２の表示部材８の従来の側面を表す。図６は、別の変形表示を例示する。実際に、熱帯、赤道地域および極地では、これらの地域の様々な相で、月の実際の見かけをより詳細に表示するために、具体的には、熱帯向けの図１６および１７で示すように、異なる形態のカバーが必要となる。図１８は、所定の緯度範囲で最善に適合するように横方向に移動するように考案される第２の表示部材８上のマスク部材の例を示す。本例は、連続して図３および図４のマスク部材および図１６および１７のマスク部材を備える。図１９は、連続して図６および図３のマスク部材を備える、組み合わせたマスク部材の別の例を例示する。
【００３２】
位置計算手段５は、有利には第２の位置情報信号受信手段２を利用して、場所の緯度を判断することができる。このパラメータを利用することによって、月の見かけのさらに現実的なレンダリングを用いて表示を提供することができる。本現実的な表示は、図１６または図１７に示すように、一定の緯度に対して、第２の具体的な表示部材８を用いることによって得ることができる。第２の表示部材８は、第１の表示部材６と重ねて配置されると、移動しない。第１の表示部材６のみでは具体的には回転して、移動可能である。
【００３３】
特定の変形では、第２の表示部材８は第１の表示部材６に関して、回転および／または横方向に移動可能である。より具体的には、第２の表示部材８は、少なくとも第１の表示部材６の径方向移動に関して移動可能である。
【００３４】
このように、有利な変形では、位置計算手段５は、装置１０が位置する場所の緯度を計算するように構成され、装置１０に含まれる第２の駆動手段９を制御して、第１の表示部材６に関して第２の表示部材８を駆動するように構成される。
【００３５】
１６．１から１６．１２まで連続して採番される図１６、および１７．１から１７．１２まで連続して採番される図１７は、第２の表示部材８の具体的な構成の２つの非限定例を例示する。
【００３６】
したがって、好ましくは、装置１０は、水平線を移動するための電子機械機構を備える。具体的な単純な実施形態では、ラックはモータに結合するピニオンによって駆動される。また、水平線を枢動するだけで、またはパンタグラフ型のシステムを用いて、（移動せずに）騒動のみを用いる別の原理を実装することも可能である。
【００３７】
緯度を考慮して現実的な表示を考えると、移動可能な水平線を用いて、少なくとも月ディスクに関する回転のみならず、特定の変形では、月ディスクの軸に関する径方向移動において、ムーンフェイズ表示装置では一般にうまく処理されていない機能を提示することができる。
【００３８】
特定の変形では、第１の駆動手段７は、少なくとも第１の電気モータを備える。第１の電気モータは、回転の一方向のみに回転するように構成される。その場合には、位置計算手段５は、第１の駆動手段７の速度を制御し、それによって第１の表示部材６を、第１の移動において第１の速度で駆動するように構成される。第１の移動では、月期の開始位置と月期の終了位置との間で少なくとも１つの通常の月表示１１が可視であり、それによって、厳密に３６０°未満の限定角度移動において太陰月において１つの完全な移動が行われる。さらに、それによって第１の表示部材６は、月期の終了時に、少なくとも第１の速度より３０倍速い第２の速度で駆動される。第２の移動では、少なくとも１つの通常の月表示１１は１日以下の移動において、月期の終了位置と月期の開始位置との間で、不可視である。
【００３９】
図８は、第１の表示部材６を有し、常に同一の方向に回転する単一の通常の月表示１１を備える構成を例示する。北半球では、表示するように、通常の月表示１１は、第２の表示部材８のカバーＡからカバーＢまで移動し、月期の終了時には部分Ｂ下部に隠れたままであり、次に直接カバーＡ下部に再度移動し、新月期を再度開始する。南半球では、反対になる。通常の月表示１１は、第２の表示部材８のカバーＢからカバーＡに移動し、月期の終了時には部分Ａ下部に隠れたままであり、次に直接カバーＢ下部に移動し、新月期を再度開始する。
【００４０】
変形では、現在の日付を計算または受信するための第１の手段１は、衛星または、携帯テレフォニ装置１００から送信される信号を受信するための手段である。携帯テレフォニ装置１００は、時計１０００のユーザが保持するように構成される。
【００４１】
変形では、位置情報信号および／または場所の地球の半球を示す信号を受信するための第２の手段２は、衛星または、携帯テレフォニ装置１００から送信される信号を受信するための手段である。携帯テレフォニ装置１００は、時計１０００のユーザが保持するように構成される。
【００４２】
変形では、太陰暦４を計算または受信するための第３の手段３は、衛星または、携帯テレフォニ装置１００から送信される信号を受信するための手段である。携帯テレフォニ装置１００は、時計１０００のユーザが保持するように構成される。
【００４３】
このような携帯テレフォニ装置１００は、「スマートフォン」または同等のものからなっていてもよく、時計１０００は、ユーザからの行動を必要とせずに携帯テレフォニ装置１００と情報を交換することができる。
【００４４】
より具体的には、携帯テレフォニ装置１００と時計１０００との間で伝達するためのＷＯＰ（時計の光学プログラミング）方法によって、ユーザの所在地を時計に送信し、ムーンフェイズ表示、または日の出および日没または潮などの、その他の表示を修正することが可能となる。Ｂｌｕｅｔｏｏｔｈ（登録商標）低消費電力またはＮＦＣなどの他のプロトコルを用いて、本情報を時計に送信することもできる。
【００４５】
携帯テレフォニ装置１００は、様々な技術によってユーザの所在地を認識する。
経度および緯度を提供するＧＰＳ；
−ＧＰＳと電話が接続する携帯電話ネットワークの両方から判断される国に存在する。
【００４６】
携帯テレフォニ装置１００は、本情報を様々なフォーマットで送信することができる。
−緯度：北半球では正、南半球では負；
−符号化ビットで（２ビット）：北半球−南半球−赤道−極地。
−夏時間（ＤＳＴ）修正を行う必要があるかを判断するために用いる国コード。
【００４７】
ムーンフェイズ計算では、ＷＯＰプロトコルが日付を送信することによって、月ディスクは正しいムーンフェイズを表示することができる。月齢周期は２９．５３日であり、月の見かけは、通常１から２９までの月周期で記載される。月齢周期は通常８相に分割され、各相は約８８時間を有する。
【００４８】
これらの相を、北半球においてこの順番で、図１０に示す。新月：１０．１、三日月：１０．２、上弦の月：１０．３、十三夜：１０．４、満月：１０．５、十八夜：１０．６、下弦の月：１０．７、二十六夜：１０．８。
【００４９】
南半球では、同一の図１０において、三日月：１０．８、上弦の月：１０．７、十三夜：１０．６、満月：１０．５、十三夜：１０．４、下弦の月：１０．３、三日月：１０．２、新月：１０．１、の順番で示される。
【００５０】
特定の日付の太陰日を計算するためには、規定の一日の太陰日を知らなければならず、関与する日付までの日数を計算し、次に２９．５３を除として計数操作を実行するように構成され、その結果が太陰日の日数を表す。
【００５１】
本発明はまた、少なくとも１つのこのような装置１０を含む時計１０００に関する。
【００５２】
本発明は、携帯型アセンブリ２０００に関する。携帯型アセンブリ２０００は、このような時計１０００と、携帯テレフォニ装置１００とを備える。携帯テレフォニ装置１００は、位置情報信号またはデータおよび／または場所の地球の半球を示す信号またはデータ、および／または日付信号またはデータを時計１０００に含まれる装置１０に提供するように構成される。
【００５３】
図１１は、ムーンフェイズ表示制御アルゴリズムの非限定例を例示する。時計１０００では、機能１１０は時計の時間を管理し、ステップ１１１では、テストを深夜に実施する。太陰日計算はステップ１１２で、携帯テレフォニ装置１００から受信する要素に基づいて実施される。ステップ１１６では、ＧＰＳまたは類似するローカル作業を行う。ステップ１７では、メモリまたはサーバを用いて、皆既月食および赤い月を判断する。ステップ１１８では、判断を時計に送信する。ステップ１１３は月相計算ステップであり、日付および所在地を考慮し、具体的にはステップ１１４で半球を考慮して、必要な場合は月食または赤い月の発生によって補充する。ステップ１１５で適切な種類の月（通常の月または赤い月）を備えて、ムーンフェイズを表示する。
【００５４】
図１２は、別の非限定例アルゴリズムを例示する。１２０：半球検索、１２１：位置情報および／または場所の地球の半球の表示の利用、１２３：半球の決定、１２４：第１の表示部材のモータの回転方向、１２４：ステップ１２５の月を正しく判断するために緯度を考慮、１２６：直接内部計算によって、または１２６０の外部手段によって日付を検索し、ステップ１２７で日付を判断、ステップ１２８で内部太陰暦検索、またはステップ１２８０で外部手段によって検索し、ステップ１２９で、モータ７に伝わる回転の角度αＬを判断。
【００５５】
図１３は赤い月制御アルゴリズムを例示する。アルゴリズムは、ステップ１３０：内部、またはステップ１３００で外部手段によって赤い月検索を実施し、ステップ１３１で、月の見え方を判断し、ステップ１３２で、白い月のためにステップ１３３でモータの角度制御を維持するか、または角度相シフトをステップ１３４で伝えるかを選択するステップを含む。
【００５６】
図１４は、第２の表示部材８を第１の表示部材６に対して移動させるアルゴリズムを例示する。配向および緯度を決定後、ステップ１４０で相殺計算を実施し、１４１で回転結合し、１４２で相対移動する。
【００５７】
図１５は、加速運動する表示部材の速度制御アルゴリズムを例示する。ステップ１５０では月期の終了テスト、１５１ではモータの加速、１５２は通常の速度への復帰を例示する。
【００５８】
要するに、アルゴリズムによって、日付によるムーンフェイズの見かけを正確に予測することができる。位置情報および／または場所の地球の半球の表示によって、第１の表示部材６、つまり月ディスクの見かけおよび回転方向を変更することが可能になる。
【００５９】
携帯テレフォニ装置１００と時計１０００との接続によって、ユーザが介入せずに自動設定が可能になる。
【００６０】
本発明は様々な有利点を提供する。
−ムーンフェイズ表示は現在の日付および時計が位置する場所の半球に関して正確である。
−設定が簡潔である；
−赤い月を扱わない簡潔な変形では、単一の月を有する１つのディスクのみが必要である；
−赤い月の表示を扱う変形では、赤い月の表示を追加することによって、適応する月ディスクのみが必要とされる；
−位置情報から送信される所在地の緯度を利用することによって、今まで非常に高価で、希少な高級時計でのみ可能であった赤道、熱帯および極地のムーンフェイズ表示装置を改良することができる。
−潮表示は月表示と結合することもできる。特別な沿岸の特徴を考慮することが可能なため、外部資源は特に有利である。事前に計算した満潮時間と干潮時間および潮の範囲を転送するか、または現在の日付の値を送信して、係数が時計に送信されている多項式を用いて将来の値を再計算することが可能である。
【００６１】
−夏時間の修正は携帯テレフォニ装置と時計との接続によって考慮され、潮の時間を管理するために必要である。
【符号の説明】
【００６２】
１        ：第１の手段
２        ：第２の手段
３        ：第３の手段
４        ：太陰暦
５        ：位置計算手段
６        ：表示部材
７        ：モータ
８        ：表示部材
１０      ：ユニバーサルムーンフェイズ表示装置
１１      ：月表示
１００    ：携帯テレフォニ装置
１０００  ：時計
２０００  ：携帯型アセンブリ
αＬ      ：第１の角度位置値
【図１】
2018155747.tif 000003
【図２】
2018155747.tif 000004
【図３】
2018155747.tif 000005
【図４】
2018155747.tif 000006
【図５】
2018155747.tif 000007
【図６】
2018155747.tif 000008
【図７】
2018155747.tif 000009
【図８】
2018155747.tif 000010
【図９】
2018155747.tif 000011
【図１０】
2018155747.tif 000012
【図１１】
2018155747.tif 000013
【図１２】
2018155747.tif 000014
【図１３】
2018155747.tif 000015
【図１４】
2018155747.tif 000016
【図１５】
2018155747.tif 000017
【図１６Ａ】
2018155747.tif 000018
【図１６Ｂ】
2018155747.tif 000019
【図１７Ａ】
2018155747.tif 000020
【図１７Ｂ】
2018155747.tif 000021
【図１８】
2018155747.tif 000022
【図１９】
2018155747.tif 000023